Podtech/llm-jp-corpus-v4-ja_patent huggingface dataset:
(57)【要約】      （修正有）【課題】ねじれ角の大きな歯車のホブ切り加工や高速回転のホブ切り加工時に切削ポイントへの切削油の注入が可能となるホブ盤及びホブを提供する。【解決手段】ホブ盤は、ホブ３の切刃溝に切削油を吐出する切削油吐出口を備え、ホブスピンドル内部及びホブアーバ内部に、切削油の流通穴を有する。また、ホブ３は、切刃溝底に切削油吐出口を有する。ホブ３を使用することにより、切削油をホブ切刃溝底内部から吐出して、切削ポイントに有効に注入する。【選択図】図５
0003209384.tif 000002
【実用新案登録請求の範囲】
【請求項１】
切削油をホブ切刃溝内部から吐出しながらのホブ切り加工を特徴とする。
【請求項２】
ホブスピンドル内部及びホブアーバ内部に切削油の流通穴のあるホブ盤構造を特徴とする。
【請求項３】
切刃溝底に切削油吐出口のあるホブを特徴とする。
【考案の詳細な説明】
【技術分野】
【０００１】  本考案は、歯車加工時の切削油の注入方法をホブの切刃溝底の内側から切削ポイントに向けて注入する方法であるホブ切刃内部吐出切削油を利用したホブ切り加工に関する。
【背景技術】
【０００２】  従来のホブ切りでは、切削ポイントの外側から切削油を注入して加工している。
【考案の概要】
【考案が解決しようとする課題】
【０００３】  しかしながら、歯車のねじれ角が１０°以上の大きなねじれの歯車を加工する場合、切削ポイントがねじれた歯車の歯に隠れてしまい、切削ポイントに切削油を有効に注入できない。また、加工時のホブ及び加工する歯車の回転数が高い場合（高速加工）も、ホブ及び歯車の作り出す空気の流れ（エアーカーテン）により、切削油が弾き飛ばされて同じく有効に注入できないという欠点があった。その結果、切削面から加工後の切屑を排除できず、ホブの切刃及び被歯切材の歯溝に残り、残存切屑を巻き込んだ加工となるため、加工面がえぐれたり（スプーンカット）、ひっかき傷等の凹凸ができ、歯車の加工精度を落とす欠点があった。また、切削油が有効に注入できないことで、切削ポイントでの潤滑や冷却ができないことから、ホブの切削寿命も落としてしまう欠点もあった。
【課題を解決するための手段】
【０００４】  本考案はホブの切刃溝底内部から切削ポイントに切削油注入する方法で上記課題を解決するものである。
上記方法を達成するために、
・内部を通して切削油注入を可能とする切削油流通穴のあるホブスピンドル
・内部に穴が開き、切削油の流通穴の付いたたホブ保持軸（ホブアーバ）
・ホブ内部がら切削油を注入させるためのホブ切刃溝底部に切削油注入口のあるホブ
・ホブ切刃内部から吐出された切削油を有効に切削油ポイントで拡販するためのホブ背面切削油ブラケット
とでホブ切刃溝底内部吐出切削油を利用したホブ切り加工を構成している。
【考案の効果】
【０００５】  以上の説明から明らかなように、本考案にあっては次に列挙する効果が得られる。
（１）ねじれの大きな歯車加工中に生じる、ねじれた歯による切削ポイントへの切削油注入妨害がなく有効に切削ポイントに注入可能なため、加工後の歯面の凹凸を低減させ、歯車加工精度の向上を図る効果がある。
（２）高速回転加工での空気の流れ（エアーカーテン）による切削ポイントへの切削油注入の妨害がなく、有効に切削ポイントに注入可能なため、加工後の歯面の凹凸を低減させ、歯車加工精度の向上を図る効果がある。
（３）ねじれ角の大きな歯車加工及び高速回転加工でも切削油を有効に注入できるため、切削ポイントでの冷却効果、潤滑効果がある。
（４）切削油を有効に注入できることで、切削ポイントでの冷却効果、潤滑効果、切屑の排除効果を生み出し、ホブ（刃物）の切削寿命を延ばす効果がある。
【図面の簡単な説明】
【０００６】
【図１】本考案の側面図である
【図２】本考案の正面図である
【図３】本考案のホブ図である
【図４】従来の切削油の注入方法説明図である
【図５】本考案の側面からの切削油の流通経路説明図であるおよび本考案の正面からの切削油の流通経路説明図である
【考案を実施するための形態】
【０００７】以下、本考案の実施の形態を図に基づいて説明する。
【実施例１】  図１は本考案加工に必要な切削油注入経路のわかる側面図であって、ホブスピンドル、ホブアーバ、ホブの断面図となっている。
【実施例２】
【０００９】  図２は、本考案加工に必要な切削油を撹拌するための切削油ブラケットとボブの位置関係を示した正面図である。
【実施例３】
【００１０】  図３は、本考案加工で使用するホブ図である。ホブの切刃溝底面に複数の穴が開いており、そこから切削油が吐出される。
【実施例４】
【００１１】  図５は、本考案加工に必要な切削油の流通経路を説明した図面である。
【実施例５】
【００１２】  図６は、本考案加工に必要な切削油ブラケットの役割、ホブから吐出される切削油の経路及び加工中のホブの回転方向と移動方向を示したした図である。
【産業上の利用可能性】
【００１３】  本考案は、ホブ切りにおいて、外部からの切削液が注入しにくい角度の歯車を切削加工する産業で利用される。また、ホブ切りで高速回転による切削加工をする産業で利用される。
【符号の説明】
【００１４】１    ホブスピンドル
２    ホブアーバ
３    ホブ
４    ホブ背面切削油ブラケット
５    ホブ切刃内部切削油吐出口
６    被削材（加工される歯車）
７    主軸側被削材取付治具（エッジセンタ）
８    心押側被削材取付治具（テールストックセンタ）
９    ホブの動き方向
１０  切削油の流通経路
【図１】
0003209384.tif 000003
【図２】
0003209384.tif 000004
【図３】
0003209384.tif 000005
【図４】
0003209384.tif 000006
【図５】
0003209384.tif 000007
【手続補正書】
【提出日】平成28年12月16日(2016.12.16)
【手続補正１】
【補正対象書類名】実用新案登録請求の範囲
【補正対象項目名】全文
【補正方法】変更
【補正の内容】
【実用新案登録請求の範囲】
【請求項１】
ホブの切刃溝に切削油を吐出する切削油吐出口を備えたことを特徴とするホブ盤。
【請求項２】
ホブスピンドル内部及びホブアーバ内部に、切削油の流通穴を有する構造を特徴とする請求項１に記載のホブ盤。
【請求項３】
切刃溝底に切削油吐出口を有するホブ。
(57)【要約】      （修正有）【課題】手で簡単に曲げることができ、身のまわり品、装飾品等の各種製品を手造りするのに好適な錫の棒材を提供する。【解決手段】直径が０．８〜３．０ｍｍで長さが５０〜５００ｍｍの錫からなる棒材であり、鋳造により製造され、表面に砂型による凹凸が形成されている。【選択図】図１
0003209395.tif 000002
【実用新案登録請求の範囲】
【請求項１】
直径が０．８〜３．０ｍｍで長さが５０〜５００ｍｍの錫からなる棒材。
【請求項２】
表面が鋳造による鋳肌からなる請求項１記載の棒材。
【請求項３】
常温で手による曲げ加工が容易な請求項２記載の棒材。
【考案の詳細な説明】
【技術分野】
【０００１】
本考案は、錫製の棒材に関する。
【背景技術】
【０００２】
錫は、銀白色で柔らかい金属であり、純度９９．０質量％以上の錫は柔らかく、優れた耐食性を有する。
これらの特性を利用した錫構造体が提案されている（特許文献１）。
同公報に開示する錫構造体は、平面構造体であるため、ワインラック，フルーツトレー，オブジェ等、比較的大きな構造物であり、使用できる目途範囲が限られていた。
【先行技術文献】
【特許文献】
【０００３】
【特許文献１】特開２００９−１７８２９７号公報
【考案の開示】
【考案が解決しようとする課題】
【０００４】
本考案は、手で簡単に曲げることができ、身のまわり品，装飾品等の各種製品を手造りするのに好適な錫の棒材の提供を目的とする。
【課題を解決するための手段】
【０００５】
本考案は、直径が０．８〜３．０ｍｍで長さが５０〜５００ｍｍの錫からなる棒材とした点に特徴がある。
ここで錫は、純度９９．０質量％以上のものが好ましい。
【０００６】
純度が高い錫は、融点が約２３０℃と低く、流動性が高い。
しかし、細長い棒状にするのは難しく、これまで製造された例はない。
現在、市場にて入手できるのは、銅等との合金材を引き抜き加工したものである。
【０００７】
本考案者は、砂型の構造を改良することで細長い錫からなる棒材を得ることができ、本考案に至った。
本考案に係る錫からなる棒材は、鋳造により製造されたものであり、棒材の表面が鋳造による鋳肌からなる点に特徴がある。
ここで鋳肌とは、砂型を用いて鋳造したことにより０．０５〜０．２ｍｍ程度の凹凸があることをいう。
また、必要に応じてブラスト処理等の表面処理を行うことにより、光沢のある銀白色，つや消しされた銀白色，ややグレーの色合い等、色調を調整することも可能である。
【０００８】
棒材としては、直径が０．８，１．０，１．２，１．４，１．６，１．８，２．０，２．４，３．０ｍｍ等の各種丸棒を製造することができる。
長さも直径の大きさや用途に合せて、５０〜５００ｍｍのものができる。
なお、直径が０．８，１．０，１．２ｍｍの特に細いものは長く鋳造するのが難しく、用途によっては長さが５０〜１００ｍｍ程度でもよい。
直径が１．４ｍｍ以上のものは、長さが１５０ｍｍ，３００ｍｍ，４００ｍｍ、それ以上の長さ５００ｍｍ程度まで、用途に応じて製造できる。
【考案の効果】
【０００９】
本考案に係る錫からなる棒材は、砂型鋳造特有の鋳肌からなる凹凸外観になっているとともに、９９．０質量％以上の高純度の錫からなるため柔らかく、手で自由に曲げることができる。
これにより、１本の棒材を自由に曲げて、あるいは複数の棒材を組み合せて、各種身のまわり品，装飾品等を製作することができる。
【図面の簡単な説明】
【００１０】
【図１】本考案に係る錫からなる棒材の拡大写真を示す。
【図２】本考案に係る錫からなる棒材の全体写真を示す。
【図３】（ａ），（ｂ）は複数の棒材を組み合せて製作した例を示す。
【考案を実施するための最良の形態】
【００１１】
ほぼ１００％に近い高純度の錫の溶湯を砂型に流し込み、直径約２ｍｍで長さ３００〜４００ｍｍの棒材を得た。
その外観写真を図２に拡大写真を図１に示す。
外観が凹凸を有する鋳肌状態であり、優れた意匠性を有する。
また、手で簡単に自由に曲げることができた。
本考案に係る錫からなる棒材を用いて製作した例を図３に示したが、本考案に係る錫からなる棒材は、曲げの自由度が高い点に特徴があり、本実施例に限定されない。
【図１】
0003209395.tif 000003
【図２】
0003209395.tif 000004
【図３】
0003209395.tif 000005
【手続補正書】
【提出日】平成29年1月16日(2017.1.16)
【手続補正１】
【補正対象書類名】実用新案登録請求の範囲
【補正対象項目名】全文
【補正方法】変更
【補正の内容】
【実用新案登録請求の範囲】
【請求項１】
直径が０．８〜３．０ｍｍで長さが５０〜５００ｍｍの錫からなる棒材。
【請求項２】
表面が鋳造による鋳肌からなる請求項１記載の棒材。
【請求項３】
純度９９．０質量％以上の錫からなり、常温で手による曲げ加工が容易な請求項２記載の棒材。
(57)【要約】      （修正有）【課題】メタボ対策の一貫として、減塩、脂質の食事が多い中で、酢を使用することが必要不可欠である。本考案は、メタボ対策用テーブルサイズの目盛付き小型酢容器を提供する。【解決手段】酢を入れる容器体は合成樹脂で透明性の小型容器体１であり、上部開口部２と底部３を形成し、容器体をテーブルサイズ化し、小型化して容器体の中央部４に卓上酢のラベル体５を設け、容器体の側部に目盛部６と所要量の表示ラベル体７を設けて、一体形成化する。【選択図】図１
0003209396.tif 000002
【実用新案登録請求の範囲】
【請求項１】
上部開口の有底の酢容器において、前記透明性の容器体（１）の上部に開口部（２）と底部（３）で形成し、該容器体の中央部（４）に卓上酢のラベル体（５）を設け、前記容器体の側部に目盛部（６）と所要量の表示ラベル体（７）を設けたことを特徴とする、メタボ対策のテーブル用の目盛付き小型酢容器。
【請求項２】
容器体（１）が透明の瓶性の小型容器で、その中央部（４）に品種名称入りの卓上酢のラベル体（５）と小型容器体の側部に所要数量を表す目盛（６）と、所要量の表示ラベル体（７）を設けた実用新案登録の請求範囲第１項記載のメタボ対策のテーブル用目盛付き小型酢容器。
【考案の詳細な説明】
【技術分野】
【０００１】本考案は、メタボ対策のテーブル用目盛付き小型酢容器に関するものである。
【背景技術】
【０００２】従来、メタボ対策の一貫として、予防、改善のためには、第一として、食習慣を変える事だといわれている。【０００３】その１つとして、減塩や脂質の多い食事が多いため、酢がメタボ対策に最適であることは誰もが理解している。【０００４】食事時など、塩からいなぁと思った時、油っぽいなぁと思った時、酢を使いたい時など、テーブル上に卓上酢を置いていないのが現状である。【０００５】卓上サイズのものとしては、塩、砂糖、醤油、ソースなどはあるが、酢でメタボ対策用の小型サイズの容器のものはない。
【考案の概要】
【考案が解決しようとする課題】
【０００６】前述したように、メタボ対策に食習慣を変える手段としては、食卓テーブル上に小型の卓上酢を置いていないことである。【０００７】食卓に、メタボ意識を持たせる特殊な簡単な容器構造のものが業界で要望されていた。その問題点を解決しようとするものである。
【課題を解決するための手段】
【０００８】本考案は、瓶形状の上部開口で、有底の酢容器において、透明性で瓶形の容器体（１）を小型化し、上部に開口部（２）と底部（３）で形成され、容器体の中央部（４）に卓上酢のラベル体（５）を設け、容器体の側部に目盛部（６）と所要量の表示ラベル（７）を設け、該構成をもって上述した欠点の問題点を解決したものである。
【考案の効果】
【０００９】上述のように、本考案のテーブル用目盛付き小型酢容器は、合成樹脂性の透明性であり、容器体の中央部には、品種名称（卓上酢）のラベル体（５）を設け、さらに容器体の側部に目盛付きの所要量表示ラベル体（７）を設けたことが、つぎの大きな効果につながる。それは、卓上酢が、メタボの予防と改善につながり、認識作用を一段と高める目盛付きの小型酢容器である。
【図面の簡単な説明】
【００１０】
【図１】本考案のメタボ対策のテーブル用の目盛付き小型酢の説明図である。
【考案を実施するための形態】
以下、添付図面に従い、本考案の一事例について説明する。本考案のテーブルサイズの酢容器体は、瓶形状であって、素材は透明性の合成樹脂の容器体（１）をテーブルサイズに小型化し、容器体上部開口部（２）と底部（３）で形成し、容器体の中央部（４）を設け、該部に品種を明確化する卓上酢のラベル体（５）を設け、前記容器体の側部に目盛部（６）を設け、該部に適正所要量を下段部に小さじ１ｃｕｐ、上段部に大さじ１ｃｕｐを表示するラベル体（７）を設けた構成により所期の目的を達成することが出来る考案である。
【符号の説明】
【００１１】１  透明性の容器体
２  開口部
３  底部
４  中央部
５  ラベル体
６  目盛部
７  ラベル体
【図１】
0003209396.tif 000003
(57)【要約】      （修正有）【課題】通気性の良いカーテンを取り付けて、美観を保つ事を実現する室内用の物干しを提供する。【解決手段】長方形に組んだ脚部の四隅に支柱１、２、３、４を立設し、支柱が長方形に組んだ天井部の四隅に固定された直方体の室内用の物干しであって、一対の竿掛け部１８が天井部から吊設され、正面Ａと両側面は、開閉可能なカーテンで覆って、洗濯物が隠せるようにした。【選択図】図１
0003209392.tif 000002
【実用新案登録請求の範囲】
【請求項１】
長方形に組んだ脚部の四隅に支柱を立設し、支柱が長方形に組んだ天井部の四隅に固定された室内用の物干しであって、一対の竿掛け部が天井部から吊設され、正面と両側面は、開閉可能なカーテンで覆っていることを特徴とする室内用の物干し。
【請求項２】
天井部は、桟で構築され、かつ側面部のいずれか１つ以上に格子状の構造物を設けることを特徴とする請求項１に記載の室内用の物干し。
【請求項３】
脚部の上部に、洗濯物の水が垂れても、下に漏れないように水盤を設置することを特徴とする請求項１又は２に記載の室内用の物干し。
【考案の詳細な説明】
【技術分野】
【０００１】  本考案は、室内用の物干しに、カーテンを取り付けた事に関する。
【背景技術】
【０００２】  従来の室内用の物干しは、洗濯物の量、洗濯物の速乾が留意され、物干しの中の洗濯物が、どのように見えるかに注意がいかない点があった。
【先行技術文献】
【特許文献】
【０００３】
【特許文献１】特開平８−２９５３７８号  公報
【特許文献２】実開平２−５５８９１号  公報
【特許文献３】実開平６−１７６９２号  公報
【考案の概要】
【考案が解決しようとする課題】
【０００４】  以上に述べた従来の室内用の物干しでは、急な来客があった時、あわててしまうという事があった。【０００５】  本考案は、このような従来の構成が有した問題を解決しようとするものであり、室内用の物干しに、通気性の良いカーテンを取り付けて、美観を保つ事を実現することを目的とするものである。
【課題を解決するための手段】
【０００６】  室内用の物干しは、長方形に組んだ脚部の四隅に支柱を立設し、長方形に組んだ天井部の四隅に固定された室内用の物干しであって、支柱部の側面には、一対の竿掛け部が設けられ、正面と両側面は、開閉可能なカーテンで覆っていることを特徴とする室内用の物干しである。【０００７】  また、第２の課題解決手段は、天井部は、桟で構築され、かつ側面部のいずれか１つ以上に格子状の構造物を設けることを特徴とする請求項１に記載の室内用の物干し。【０００８】  また、第３の課題解決手段は、脚部の上部に、洗濯物の水が垂れても、下に漏れないよに水盤を設置することを特徴とする物干しである。
【考案の効果】
【０００９】  上述したように、本考案の室内用の物干しは、室内の美観を保ち、急な来客にも、洗濯物を片ずけたりしなくて良いです。【００１０】  室内用の物干しは、構造上、洗濯物を長い時間、干しておけるので、洗濯物を、たたんだり、しまったりする必要がありません。洗濯物を使用する時に、角ハンガー、洋服ハンガー等から洗濯物をはずせば良いのです。収納兼用の物干しとして使えます。従って、労力、時間の削減が出来ます。
【図面の簡単な説明】
【００１１】
【図１】  本考案の実施形態を示す遠近法概念図
【図２】  実施例
【考案を実施するための形態】
【００１２】  以下、本考案の実施形態を図１、２に基づいて説明する。
【００１３】  脚部は辺部材５、６、７、８によって長方形となし、天井部は辺部材９、１０、１１、１２によって長方形となす。
【００１４】  図１においては、脚部の四隅に支柱１、２、３、４を起立対置し、天井部の四隅に固定し、直方体型のフレームを作る。
【００１５】  通気性を良くするため、正面Ａと背面Ｂは空間とする。
【００１６】  天井部辺傍の支柱１３に、カーテンのリングをかける水平な横棒を付ける。
【００１７】  正面に通気性の良いレースのカーテン、両側面に、荒目のガーゼ仕様のカーテンを取り付ける。
【００１８】  天井部から吊した竿掛け部１８を設け、竿１４として、角ハンガー、洋服ハンガーが、かけられるように水平に横棒を竿掛け部１８に設置する。
【００１９】  両側面を格子にすることが出来る。Ｓ字フックをつければ、小物がかけられる。
【００２０】  洗濯物の水が垂れても、下に漏れないように、脚部の上部に水盤１５を設置する。水盤は金属またはプラスチックで製作された底の浅い容器として構成する。
【００２１】  脚部の底部にストッパー付のキャスター１６を取付ける。
【００２２】  図は付属品１７（別売  折りたたみ式）を使用すると、洗濯物を多く干せます。
【符号の説明】
【００２３】  １、２、３、４  脚部の支柱
５、６、７、８、９、１０、１１、１２  天井部、脚部の辺部材
Ａ  正面
Ｂ  背面
１３  カーテンのリングをかける横棒
１４  横棒
１５  水盤
１６  ストッパー付のキャスター
１７  付属品
１８  竿掛け部
【図１】
0003209392.tif 000003
【図２】
0003209392.tif 000004
(57)【要約】      （修正有）【課題】降雨時等の自動車への乗降時に乗員が傘を開閉するまでの間、乗員を降雨等から保護できる自動車ドアオーニングを提供する。【解決手段】自動車のルーフ（屋根）に内装した、ドア方向へ張り出すスライド式のオーニング（庇）を張り出し、乗員を保護する。オーニングの張り出し、収納は、オーニングの一方のスライダー部に刻まれた凹凸とスライダー受枠の外側に配した小型モーター先端の歯車を噛み合わせ、モーターの回転方向により行う。なお、張り出し長さ５０〜６０ｃｍ程度の簡易型は、オーニングの張出しを止めているストッパーを室内より解除することにより、ドアを開けると共にバネの力でオーニングをドア側へ張出すことにより、乗員を降雨から保護する。また、収納はドアを閉める時に、ドアがオーニングをストッパーまで押し込んでいくことにより、ルーフへ収納する。【選択図】図１
0003209400.tif 000002
【実用新案登録請求の範囲】
【請求項１】
自動車ドアのオーニング（庇）において、ドア開閉時に降雨時等必要により、自動車のルーフ(屋根)に内装したスライド構造のオーニングが、小型モーター及びバネにより、乗員の乗降位置上方へ張出すことを特徴とした自動車ドアオーニング。
【考案の詳細な説明】
【技術分野】
【０００１】
本考案は、自動車ドア開閉に伴うオーニング（庇）に関するものである。
【背景技術】
【０００２】
スライド構造等の汎用技術
【先行技術文献】
【特許文献】
【０００３】
【特許文献１】特許庁の簡易検索により、本考案に関する先行特許文献を検索ましたが、該当する文献は認識できません。
【非特許文献】
【０００４】
【非特許文献１】スライド構造のステンレス製のオーニング（庇）を小型モーター等により張出し、収納を行う汎用技術を組み合わせた考案のため、特段の先行技術文献はないと認識。
【考案の概要】
【考案が解決しようとする課題】
【０００５】
解決しようとする問題点は、現状の自動車は降雨時等のドアの開閉時に傘の開閉の間に乗員が濡れてしまう点にある。
【課題を解決するための手段】
【０００６】
本装置の使用方法を（図―１）に示す。
オーニング（庇）は、「前席左側ドア付近側面図」のとおりルーフ（自動車の屋根）に内装されており、使用時は「前席左側ドア付近平面図（使用時）」、「断面図（使用時）」のとおり、ドアを開けるとオーニングが張出し、乗降時の乗員を降雨等から保護する。また、収納時は「前席左側ドア付近平面図（収納時）」、「断面図（収納時）」のとおりルーフ内に収納している。
本装置の構造を（図―２）に示す。
本装置の主な構造は、スライダー構造のオーニング、オーニングの張出し及び収納をするための小型モーターよりなる。
「断面図」のとおり、左右のドアを開いた時のオーニングをルーフ内の上段と下段に内装し、オーニングの張り出し長さは、（図―１）の「前席左側ドア付近平面図（使用時）」及び「断面図（使用時）」のとおり、ドアを全開した場合の長さと同等であり、ドア全開時にも乗員を降雨等から保護できるも長さを確保している。また、オーニングの張り出し及び収納は、（図―２）「構造図」の「スライダー構造詳細図」のとおり、オーニングは両側にあるスライダー受枠で保持されており、スライドすることにより張り出し及び収納することができる構造としている。張り出し及び収納の動力は、一方のスライダー受枠の外側に配した小型モーターの歯車と、オーニングの一方のスライダー部に刻まれたモーターの歯車と整合する凹凸を噛み合わせ、モーターの回転方向により張り出し及び収納するものである。なお材料は、雨に濡れること、ルーフ内に収納し寒暖差が激しいことから、錆びにくく温度変化で形状が変わらないステンレス等を想定している。
次に、オーニングの張り出し長さが50〜60ｃｍ程度の簡易な同様な装置を以下に記す。
上記オーニングの簡易型の使用方法を（図―３）に示す。
オーニング（庇）は、「前席右側ドア付近平面図（収納時）」のとおり、車両中心線に対し左右対称に平面的にルーフ（自動車の屋根）に内装されており、使用時は「前席右側ドア付近平面図（使用時）」、「断面図（使用時）」のとおり、ドアを開けるとオーニングが張出し、乗降時の乗員を降雨等から保護する。また、収納時は「前席右側ドア付近平面図（収納時）」、「断面図（収納時）」のとおりルーフ内に収納している。
簡易型の構造を（図―４）に示す。
本装置の主な構造は、スライダー構造のオーニング、オーニングを張出す推力のためのバネ、張出しを止めるストッパー及びオーニングのドア側端部に設置されたピンローラーなり、材料は、雨に濡れること、ルーフ内に収納し寒暖差が激しいことから、錆びにくく温度変化で形状が変わらないステンレス等を想定している。なお、簡易型のオーニングは、オーニングをルーフ（自動車の屋根）内に平面的に収納しているため、その張り出し長さは、上記オーニングの半分程度の50〜60ｃｍ程度である。
平面図、断面図に示したとおり、収納時はｂ部のストッパーでバネが縮みオーニングが張出すのを止めている。使用時は、ストッパーを引き下げバネを解放することにより、ドアを開けると同時にスライダーに沿ってオーニングが張出す。
収納方法は、「平面図（収納中）」及び「断面図（収納中）」に示したとおり、ドアを閉める時にオーニング端部に設置されたピンローラーを押込んでいくことによりオーニングをストッパーまで押し込み収納するものである。
【考案の効果】
【０００７】
降雨時等の自動車への乗降は、ドアを開け傘の開閉の間、雨等に濡れてしまう。このため、降雨時等はドアを開けると同時にルーフからオーニング（庇）を張り出すことにより、傘の開閉の間の乗員を降雨等から保護できる。
【図面の簡単な説明】
【０００８】
【図１】図―１はオーニングの使用方法を示した説明図である。
【図２】図―２は本装置の構造を示した構造図である。
【図３】図―３は簡易型オーニングの使用方法を示した説明図である。
【図４】図―４は簡易型オーニングの構造を示した構造図である。
【考案を実施するための形態】
【０００９】
自動車のルーフ（屋根）に内装したスライド構造のオーニングを、降雨時等はドアの開閉時に張り出すようにした。
【実施例】
【００１０】
自家用自動車等への取り付け。
【産業上の利用可能性】
【００１１】
自動車産業において、利用可能。
【符号の説明】
【００１２】
特記なし
【図１】
0003209400.tif 000003
【図２】
0003209400.tif 000004
【図３】
0003209400.tif 000005
【図４】
0003209400.tif 000006
【手続補正書】
【提出日】平成29年1月15日(2017.1.15)
【手続補正１】
【補正対象書類名】実用新案登録請求の範囲
【補正対象項目名】請求項１
【補正方法】変更
【補正の内容】
【請求項１】
自動車ドアのオーニング（庇）において、ドア開閉時に自動車のルーフ(屋根)に内装したスライド構造のオーニングが、小型モーター及びバネにより、乗員の乗降位置上方へ張出すことを特徴とした自動車ドアオーニング。
(57)【要約】      （修正有）【課題】子どもやお年寄りにも軽くて安全に利用でき、設置スペースが少なくても安定して自立し、また、設置する適切な台がない場合は、三脚の雲台に固定して使用することで、どこでも紙芝居を上演することができる紙芝居用枠を提供する。【解決手段】左右両側の柱材１と上縁材５と下縁材４とで四角枠状に組み立てられた四角枠体が、間隔をおいて一対設けられ、両四角枠体の上部が天板３で連結され、両四角枠体の下部が幅広の底板２で連結され、両四角枠体の間における天板の下面に天井板が固定され、両四角枠体の間における底板の上部に廊下材が固定され、両四角枠体の間に紙芝居が出し入れできる空間が形成され両四角枠体の間の一方の端部の上端部および下端部に紙芝居の脱落を防止する留め材が設けられ、紙芝居上演用の舞台の扉がない。また、紙芝居用枠を設置する適当な台がない場合は、三脚の雲台に固定して使用することができる。【選択図】図１
0003209536.tif 000002
【実用新案登録請求の範囲】
【請求項１】
左右両側の柱材と上縁材と下縁材とで四角枠状に組み立てられた四角枠体が、間隔をおいて一対設けられ、両四角枠体の上部が天板で連結され、両四角枠体の下部が幅広の底板で連結され、両四角枠体の間における天板の下面に天井板が固定され、両四角枠体の間における底板の上部に廊下材が固定され、両四角枠体の間に紙芝居が出し入れできる空間が形成され両四角枠体の間の一方の端部の上端部および下端部に紙芝居の脱落を防止する留め材が設けられ、紙芝居上演用の舞台の扉がないことを特徴とする紙芝居用枠。
【請求項２】
三脚の雲台に固定して使用できることを特徴とする、請求項1に記載の紙芝居用枠。
【考案の詳細な説明】
【技術分野】
【０００１】
本考案は、紙芝居上演に用いる枠を三脚の雲台に固定して使用できる紙芝居用枠に関するものである。
【背景技術】
【０００２】
紙芝居は、前面の画面を見ながら、読み手が背面の文字を読み、観客に語って情景や心情を伝えるという、日本独自の文化である。絵本の読み聞かせとは異なり、より多くの観客が絵を見て、読み手の語りを聞くことで、情報を得ることができる。近年、テレビやパソコンのプレゼンテーションが普及してきたが、まだ多くの子どもたちが、紙芝居を喜んで見ている。また、お年寄りにも老人福祉施設等での紙芝居の上演は好評である。紙芝居の上演にあたり、紙芝居を固定する枠があることにより、読み手は上演しやすく、観客は集中して、紙芝居を楽しむことができる。
【先行技術文献】
【特許文献】
【０００３】
【特許文献１】実用新案登録第３０９３９５３号  公報
【考案の概要】
【考案が解決しようとする課題】
【０００４】
従来の紙芝居舞台は、左右に扉が付き、扉と本体で固定して自立している。そのため、舞台が重くなり、子どもやお年寄りには、使いにくいものになっている。また、設置するには、本体と扉を同時に支える広さの台が必要になる。
設置台に紙芝居枠を設置しても、観客の目線に合わせて、枠の角度を変えることができないので、設置台によっては、観客に見えにくいことも考えられる。
【課題を解決するための手段】
【０００５】
本考案は上記の課題を解決するために、第一考案は、軽くて丈夫な桧材を用いて紙芝居用枠を作成したことである。
第二考案は、材料の角を丸めることで安全に配慮したことである。
第三考案は、１/４インチのナットを接合した金具を底面中央付近に取り付けることで、カメラやビデオの三脚の雲台に固定して使用できることである。
【考案の効果】
【０００６】
第一考案、または第二考案によれば、軽くて、丈夫であり、安全に子どもやお年寄りが気軽に利用できる紙芝居用枠に仕上がった。可動部分をなくし、軽くて丈夫な紙芝居用枠を考案することで、子どもやお年寄りにも扱い安くなっている。また、扉がなくても本考案の紙芝居用枠は自立しているので、設置スペースが狭くてもよい。第三考案により、設置スペースが狭くても、安定して自立し、カメラやビデオの三脚を設置台の代わりに利用できるので、携帯に便利となる。また、三脚の雲台に固定し、観客の目線に合わせて三脚のバンハンドルを調整することで、紙芝居用枠の角度を変えることが可能となる。脚の長さの調節とクランクハンドルを操作することで、紙芝居用枠の設置高を調節することが可能となる。
【図面の簡単な説明】
【０００７】
【図１】この考案の正面図を示す。
【図２】この考案の右側面図を示す。
【図３】この考案の左側面図を示す。
【図４】この考案の背面図を示す。
【図５】三脚に取り付けた図
【図６】従来の紙芝居舞台の図
【考案を実施するための形態】
【０００８】
この考案の正面形態を、図１に示す。
正面は、四本の桧材（二本の柱材と下縁材・上縁材）を用いて、長方形に組み立て、底板と天板で構成された額縁状の形である。天板には、取っ手が付いている。
この考案の右側面図は、図２に示す。
天板と底板それを支える二本の桧の柱及び紙芝居を止めるための、上下1枚ずつの留め材で構成されている。
この考案の左側面図は、図３に示す。
天板と底板それを支える二本の桧の柱材及び右側面図に示した留め材まで続く上部の天井材及び下部の廊下材で構成されている。天板と底板の端は、背面方向では、支える柱材と同じ面を形成するが、正面方向は、支える柱材よりも長く突き出ている。
この考案の背面図は、図４に示す。
正面形態と同じであるが、天板と底板の端は、二本の柱材及び上縁材・下縁材と同じ面を形成している。向かって右の柱は、紙芝居の出し入れがし易いように、曲線状にくり抜いている。下縁材の中央部分に雲台に固定するための金具が見える。
この考案の紙芝居用枠を三脚に取り付けた図を図５に示す。
従来の紙芝居上演用の枠を図６に示す。
【実施例】
【０００９】
この実施形態によれば、底板を広くしたことで、安定性がよくなる。また、天板を支える四本の柱が、底板と廊下材で固定することで丈夫で安定した接合となる。また、同じように天板と天井材で四本の柱を固定することで、丈夫な接合となる。1/4インチナットを接合した取り付け金具を底板に取り付けることで、紙芝居用枠と三脚の雲台との脱着が簡単でしかも安定する。
【符号の説明】
【００１０】
１  柱材            ２  底板        ３  天板        ４  下縁材        ５  上縁材
６  取っ手          ７  留め材      ８  廊下材      ９  天井材        
10  取り付け金具
【図１】
0003209536.tif 000003
【図２】
0003209536.tif 000004
【図３】
0003209536.tif 000005
【図４】
0003209536.tif 000006
【図５】
0003209536.tif 000007
【図６】
0003209536.tif 000008
(57)【要約】      （修正有）【課題】書道に使う墨液皿内部に筆先を整えることのできる形状をもたせ、さらに密閉性のある蓋を設けて、墨液の乾燥による濃度変化の防止をする蓋付墨液皿を提供する。【解決手段】墨液皿の内側に筆先をなでつけて、筆先を整えることのできる傾斜面の形状をもたせることによって、筆先直しと共に、筆先から絞り出た余分な墨液が凹部の墨溜り１に流れ戻るようにした。さらに、墨液の受皿２皿を並置した構造にして、一方を墨用として、他方を水用として使い、水皿に入れた水に筆先を入れて、微量の水を筆に含ませ、墨液濃度の微調整ができるようにした。加えて、墨液の乾燥を防ぐために、１．５回転以上で閉まる蓋を設け、蓋を閉めることにより、墨液の乾燥による濃度変化の防止に役立つ。【選択図】図１
0003209571.tif 000002
【実用新案登録請求の範囲】
【請求項１】
合成樹脂の書道墨液の受け皿２つを並置して、扁平な台座上に形成すると共に、密閉性の蓋を備えたことを特徴とする蓋付墨液皿。
【請求項２】
墨液の受け皿には、硯に似た凹部の墨溜りである海部と緩斜面を有する凸部の筆先直し部分である陸部と、さらに、海部と陸部の境目の墨切りである崖部を設けた請求項記載の蓋付墨液皿。
【請求項３】
密閉構造の蓋は、１．５回転以上のネジを切ったネジ付蓋とすることを特徴とする請求項１又は２に記載の蓋付墨液皿。
【考案の詳細な説明】
【技術分野】
【０００１】  本考案は、蓋付墨液皿に関する。
【背景技術】
【０００２】  硯には、墨の乾燥による濃度変化を防ぐ為、古来、象牙製や木漆製の蓋が付いているものがある。【０００３】  既に自然石で２つの硯を一体化して彫り上げた二連は製品化されている。【０００４】  墨絵や書道の墨皿や硯で、筆の余分な墨を絞り取るには、墨皿や硯の淵に筆の腹をなすりつけて墨切りしていた。
既存製品である書き初め用の墨皿の場合、墨皿の内側に、墨切り用の突起が付いていて、これに筆の先を押しつけて墨切りしていた。（図３）【０００５】  書道具は、主な道具である四宝の他に小道具が多岐に渡り、水差しや墨皿等の陶器製品がある。さらに文鎮、筆置き等の金属製品もあり、重いものが多かった。
【考案が解決しようとする課題】
【０００６】  古来の蓋では、墨に埃が入るのを防ぐことは、できるが、墨の乾燥による濃度変化までは防げないという欠点があった。
【０００７】  二連硯が製品として、存在することから、一方を墨用、他方を水用として、筆先で徴妙な濃度調整を行おうとするニーズがある。
本考案は、二連硯から、固形の墨を磨る機能を除き、既に磨ってある市販の墨液用に特化した墨皿を提供しようとするものである。
【０００８】  正月の書き初め用墨皿では、この墨切り用突起と容器との間が水洗いしにくいという課題がある。
【０００９】  書道具は重い物が多く、小さくて、軽く、携行に適した製品の開発が課題である。
【考案が解決するための手段】
【００１０】  第１の課題解決手段は、合成樹脂の書道墨液の受け皿２つを並置して、扁平な台座上に形成すると共に、密閉性の蓋を備えたことを特徴とする蓋付墨液皿である。軽量の合成樹脂製とすることで、墨液の少量使用に適する小型化、扁平化、軽量化ができる。かつ、こうした形態を備えた墨液の受皿を２つ並置することによって、一方を墨用、他方を水用として使い分けることができる。
【００１１】  第２の課題解決手段は、墨液の受皿内部に、凸部（陸部）の筆先直しに使える緩斜面と、墨液を貯める凹部（海部）との間に急斜面（崖部）、その緩斜面と急斜面の境目に滑らかな角を設け、筆が含んでいる余分な墨を切ることができるようにした。
【００１２】  第３の課題解決手段は、墨液の乾燥を防ぐ蓋の密閉性の確保のために、１．５回転以上のネジを切ったネジ付蓋を設けたものである。
【考案の効果】
【００１３】  本考案は、小型化、扁平化、軽量化と共に、製品が割れにくくなる。
【００１４】  本考案は、墨液の受皿を並置し、蓋を密閉することにより、墨液の濃度を一定に保つ書道の高度な技術を容易に克服できる効果が期待できる。
【００１５】  本考案では、墨液の受皿の内部に墨切りがあるため、既製の墨皿や硯のように淵を汚さなくてすむようになる効果がある。
【図面の簡単な説明】
【００１６】
【図１】本考案にかかる墨液皿
【図２】本考案にかかる墨液皿の蓋
【図３】従来の書き初め用墨液皿
【図４】本考案の使用状態断面図
【考案を実施するための形態】
【００１７】  本考案の墨液皿の台座７は、巾の広い「くの字」形で、起筆部と終筆部に墨液の受皿を並置して、扁平（厚さ８ｍｍ）、受皿の淵の高さ７ｍｍ（計１５ｍｍ）の台座上に形成する。（図１）
台座７の大きさは、受皿の周辺は３ｍｍ、受皿と受皿の間は７ｍｍ、受皿の手前と奥を区別するため、奥は３ｍｍに２ｍｍ程度の膨らみを持たせ、手前は３ｍｍにマイナス２ｍｍ程度の凹んだ曲線の形態とする。大きさ、形状、受皿の数には、こだわらない。凸部を奥、凹部を手前に使うのが望ましい。
【００１８】  本考案の墨液の受皿の内部の形態は、凸部（陸部）３の筆先直しに使える緩斜面と、墨液を貯める凹部（海部）１、との間に急斜面（崖部）２、その緩斜面と急斜面の境目に滑らかな角を設ける。この滑らかさは、反故紙で容易に墨液を拭い取ることのできる機能が備わっていれば足り、その形態、長さにはこだわらない。
本考案の墨液の受皿の直径は３０ｍｍ、外側は雌ネジとするが直径の長さにはこだわらない。（図１）
【００１９】  墨液の受皿の蓋６は、円形とし、内側を雄ネジとする。（図２）
【符号の説明】
【００２０】１．墨溜り（凹部、海部）
２．墨切り（崖部）
３．筆先直し（凸部、陸部）
４．墨液皿の本体
５．ネジ（本体の受皿部の雌ネジ）
６．蓋
７．台座
８．ネジ（蓋の雄ネジ）
９  既製品の書き初め用墨皿の筆直し用突起
【図１】
0003209571.tif 000003
【図２】
0003209571.tif 000004
【図３】
0003209571.tif 000005
【図４】
0003209571.tif 000006
(57)【要約】      （修正有）【課題】紙パック飲料を吸引すると紙パック内が減圧、変形し、息継ぎの為ストローから口を離すとストロー外管より外気が紙パック内に急激に流入する。その時に発生する不快音を防止できる二段式伸縮ストローを提供する。【解決手段】紙パックに装着している二段式伸縮ストローは最長約１５０ミリ、最短で約７５ミリ程度で外管４と内管３は係止部８で繋がって内管の先端がカットされている。紙パックに差し込む側のカット面を内管から外管に変更する。太い外管の先端を斜めにカットして刺し、細い内管で飲めば内管と紙パックの挿入部の間隙ができ、空気の出入りが自由と成り紙パック内部が減圧されず息継ぎ時の不快音の発生を防止できる。【選択図】図−２
0003209566.tif 000002
【実用新案登録請求の範囲】
【請求項１】
所定の長さの真っ直ぐで、上、下の径が異なる２本以上の管が伸縮自在に組合わされる伸縮性ストローにおいて、最大径のストロー先端部が斜めにカットされていることを特徴とする二段式伸縮ノイズレスストロー。
【考案の詳細な説明】
【技術分野】
【０００１】本考案は飲料が封入された紙パックから飲料物を飲用する為の液体封入容器用二段式伸縮ストローに関する。
【背景技術】
【０００２】一般に現在販売されている紙パック飲料には図１に示す構造の二段式伸縮ストローが図３の紙パック１３の外側に付着され備えられている。この二段式伸縮ストローを伸ばし、先端が斜めにカットされて尖った内管３を予め紙パック側に用意された丸穴１０（内側からラミネート９をされている所）に突き刺し穴をあけ内管３、外管４の順にストローを差し込む。
そして、紙パックの飲料を吸引すると、紙パック内部は減圧され、その結果紙パックの変形や飲料物の吸引が次第に難しくなる。
これを解消するには、ストローから口を離し、紙パック内に外部より空気が流入するまで待ち、紙パックの変形が元に戻ってから再度吸引再開をしなければならず、使用上大変不便であった。また、この時紙パック内部に外部から急速に空気が入り込む事により不快音が発生して周囲の方々にも不快な思いをさせている。近年この不快音防止の為、伸縮ストローに様々な加工を施しノイズレスを謳っている製品図８、図９も出ている。
しかし、目的に対して十分機能を発揮していなく、不快音が発生する。
【先行技術文献】
【０００３】
【特許文献１】特開２０１１−７８５５４  公報
【特許文献２】実用新案登録第３１４３００２号
【考案の概要】
【考案が解決しようとする課題】
【０００４】現在一般に販売されている約２００ｍｌ入りの紙パック飲料を飲む時、パック本体等に何らかの方法で付属されている図１の二段式伸縮ストローを使用して予め紙パックに用意されたストロー差込口に差込飲料を飲む。
（図３、図４、図５）この時、紙パックの穴とストローとの間に間隙１２が無い為、飲み進めると次第に内部が減圧され箱が変形してくる。これを直す為に息継ぎをするとストロー飲み口より紙パックに外の空気が流入して圧力差がなくなり変形は解消するが、この時ズズズーと言った不快音が発生する。
一般に使用されている図１の二段式伸縮ストローにはこの不快音を防止する為図８の１６及び図９の１７の様な様々な工夫、加工がされているが、依然として不快音は発生する。そこでこの不快音を完全にシャットアウトする事が課題である。
【課題を解決するための手段】
【０００５】付属された二段式伸縮ストローは先が斜めにカットされた内管３（小径の管）と外管４（大径の管）で構成されていて、ストローを伸ばして尖った内管の先を予め紙パックに用意されている開口穴に突き差して外管４より飲む。図３、図４、図５この方法が一般的である。これだと確実に不快音が発生する。
そこで今まで図１のストロー内管３の先をカットしていたものを図２の外管４の先をカットする様に変更する。
その結果図６に示すように紙パックに大きな穴が明き、その後更にストローを差し込めば内管３と穴の間に間隙１１が確保できる為、自由に空気が出入りできるので紙パックの変形や不快音を完全に防止できる。
【考案の効果】
【０００６】図６及び図７が示す通り空気流入経路１１が確保されるので、紙パックの変形や飲料吸引時の不快音は完全に防止できる。
【図面の簡単な説明】
【０００７】
【図−１】従来の一般的二段式伸縮ストローの図
【図−２】本考案の二段式伸縮ノイズレスストローの図
【図−３】従来の一般的に使用されているストローと紙パックの関係を示す図
【図−４】従来の一般的に使用されている二段式伸縮ストローの内管部が紙パックのストロー挿入口を先端部が貫通した状況を示す図
【図−５】従来の一般的に使用されている二段式伸縮ストローの内管部が紙パックを貫通後外管が貫通して、紙パック保護膜と外管ストロー間に間隙が無く密着している状態を示す図
【図−６】本考案のストローと紙パックを示す図
【図−７】本考案のストローが紙パックストロー挿入口を外管貫通後内管が通過して紙パックと内管ストローの間に十分空気が通る隙間がある状態を示す図
【図−８】現在流通している一般的な二段式伸縮ストローＡの不快音防止用加工
【図−９】現在流通している一般的な二段式伸縮ストローＢの不快音防止用加工
【実施例１】本実用新案の実施例１の二段式伸縮ノイズレスストローを図２に示す。
図２に示す二段式伸縮ノイズレスストロー２は所定の長さのストレート部４の直径約６ミリの外管に軸部４の内径より細い外径のストレート軸部３の直径約４ミリが組み合わさったスライド自在のごく一般的な二段式ストローである。
外管４の一端は内管３の抜け落ちを防止するために内管３の外径より小さく成る様係止部８設けられ、且つ内管３の両端は係止部内径より大きく成る様ストッパー加工５が施されている。
本実用新案は従来からある二段式伸縮ストローの係止部８の変更ではなく図１の内管３のカット面６を図２に示される外管４にカット面７を変更するもので単純で明解な変更のみである。
【符号の説明】１，二段式ストロー
２，今回考案の二段式ストロー
３，内管
４，外管
５，ストッパー
６，内管カット面
７，外管カット面
８，系止部
９，紙パック内側保護膜
１０，紙パックのストロー挿入口
１１，間隙が十分ある状態
１２，間隙が無くストローが１０に密着している状態
１３，紙パック断面
１４，一般的に流通しているノズルレス機能を持たせ二段式伸縮性ストロー“Ａ”
１５，一般的に流通しているノズルレス機能を持たせ二段式伸縮性ストロー“Ｂ”
１６，ノズルレス機能の断面“Ａ”凸
１７，ノズルレス機能の断面“Ｂ”凹
【図−１】
0003209566.tif 000003
【図−２】
0003209566.tif 000004
【図−３】
0003209566.tif 000005
【図−４】
0003209566.tif 000006
【図−５】
0003209566.tif 000007
【図−６】
0003209566.tif 000008
【図−７】
0003209566.tif 000009
【図−８】
0003209566.tif 000010
【図−９】
0003209566.tif 000011
(57)【要約】      （修正有）【課題】本考案は車両前部の路面確認用左右にあるミラーを一本にまとめて安全確認を容易にする車両用水平幅長外付ミラーを提供する。【解決手段】本考案は耐久性の強化プラスチックス等適宜素材にて一体化形成された本体フレーム１、同じくそれに一体化成型されたミラー２、車両に取り付け用ホルダー３、同ホルダーの取り付けビス４で構成され、これらを車両前面上部の外側に車両前面の路面が映し出される位置に取り付けることにより安全確認に役立つ。【選択図】図１
0003209562.tif 000002
【実用新案登録請求の範囲】
【請求項１】
車両の車幅いっぱいの凸面又は平面外付ミラーは、運転席進行方向の車両前頭部上の外部側に、または後部リアウィンドウ部上の外部側に路面を映し出す様、下向角度位置に取り付け設定し、それにより車両前部の下、又は車両後部の下の路面状況を広範囲に捉え、最大限に捕捉範囲を広げる車両用水平幅長外付ミラーである。
【考案の詳細な説明】
【技術分野】
【０００１】  本考案は車両用外付下向き路面確認水平ミラーで、車両運転席内側から見て、車幅いっぱいに伸ばした幅長ミラーで、車両前面真下又は後面真下の路面を映し出す角度に車両前頭部又は後頭部の外側位置に取り付ける事により、可視認識範囲を最大限に広げ、車両前面又は後頭部の外部路面状況の映し出し範囲を、最大化する車両用水平幅長外付車両前面後面路面確認用ミラーに関するものである。
【背景技術】
【０００２】  車両前面真下又は車両後面真下の左右の路面状況を確認するための集点式円形凸面ミラー等ではその外形寸法上映し出す範囲の制約上、縮小された映像にて、立体物等の認識確認がわかりづらく、見落とされがちであった。
【考案の概要】
【考案が解決しようとする課題】
【０００３】  車両前方真下又は車両後面真下の路面状況の確認は左右別々の集点式円形凸面又は平面ミラーにより右側のみ、あるいは左側のみ、個別に確認動作に行われていた。従って左右のミラーを一本に集約することにより、安全確認が容易になり、前述の欠点を解決しようとするものである。
【課題を解決するための手段】
【０００４】  本考案は車両用外付水平下向き路面確認用ミラーで車両運転席内側から見て正面ウインドウ又は後面ウインドウ上部位置の外側に車両幅寸法いっぱいに伸ばした幅長ミラーを固定することにより可視認識範囲を最大限に広げ車両前面外部及び，前面左右の、路面の映し出し範囲を最大化する車両用外付水平下向き路面確認用ミラーとすることにより問題点を解決している
【考案の効果】
【０００５】  上述の様に本考案は車両用外付け路面下向き水平ミラーで車両運転席内側から見て正面ウインドウ上部位置の外側に又は後面ウインドウ上部位置の外側に車両真下の路面を映し出す位置に車幅寸法いっぱいに伸ばした幅長ミラーを路面下向きに取り付ける事により可視認識範囲を最大限に広げ、車両前面の外部路面の映し出し範囲を、最大化することにより、目視確認が容易に出来、安全運転効果に役立つ。
【図面の簡単な説明】
【０００６】
【図１】本考案の水平幅長外付車両用路面確認ミラーの鳥観図
【図２】本ミラーの上面正面側面裏面の展開図
【図３】本考案を車両に固定した場合の車両正面図
【図４】本考案を車両に固定した場合の車両側面の断面図
【考案を実施するための形態】
【０００７】    本考案は、車両運転席内側から見て、車両前面上部又は車両後面上部の外側の路面を映し出す下向き位置に設定固定することにより両サイドを含む車両前部の路面確認エリアを広範囲に映し出す。
【実施例】
【０００８】  以下、添付図面に従って実施例を説明する。１は耐久性の強化プラスチックス等適宜素材にて一体化形成された本体フレーム、２は同じくそれに一体化成型されたミラー、３は車両に取り付け用ホルダー、４は同ホルダーの取り付けビスで構成され、これらを車両前面上部の外側に車両前面の路面が映し出される位置に取り付ける。
【符号の説明】
【０００９】１  車両用水平幅長外部フロントミラー本体フレーム部
２  車両用水平幅長外部フロントミラー部
３  車両用水平幅長外部フロントミラー本体取り付け固定具
４  車両用水平幅長外部フロントミラー本体取り付け固定具固定ビス
【図１】
0003209562.tif 000003
【図２】
0003209562.tif 000004
【図３】
0003209562.tif 000005
【図４】
0003209562.tif 000006